(57)【要約】【課題】容易に取付作業ができるカバーパネル装置を提供する。【解決手段】カバーパネル装置は、建物付設物の桁材および梁材に係合により工具レスで取り付けるパネル支持体を備える。カバーパネル装置は、建物付設物の断面略Ｃ字状の根太材９にボルト42およびナット43で固着するパネル用下地体41を備える。建物付設物の床部下面を覆い隠すカバーパネル体16は、パネル支持体に支持させてパネル用下地体41にドリルねじ60で固着する。パネル用下地体41は、根太材９の垂直板部9cの内面に固着する第１垂直板部51と、カバーパネル体16を固着する第３水平板部56とを有する。【選択図】図７
2010156200.tif 000002
【特許請求の範囲】
【請求項１】
建物付設物の構成部材に係合により取り付けられるパネル支持体と、
建物付設物の断面略Ｃ字状の構成部材に固着されるパネル用下地体と、
前記パネル支持体にて支持されるとともに前記パネル用下地体に固着され、前記建物付設物の床部下面を覆い隠すカバーパネル体とを備え、
前記建物付設物の断面略Ｃ字状の構成部材は、下側板部と上側板部とこれら両板部同士を連結した垂直板部とにて構成され、
前記パネル用下地体は、
前記建物付設物の断面略Ｃ字状の構成部材の内側に配設され、前記垂直板部の内面に固着される垂直板部と、
前記カバーパネル体が固着される水平板部とを有する
ことを特徴とするカバーパネル装置。
【請求項２】
建物付設物の断面略Ｃ字状の構成部材は、長手方向一端部が建物側の取付板部に固定具にて固着されかつ長手方向他端部が反建物側の取付板部に固定具にて固着された水平方向長手状のものであり、
パネル用下地体は、前記建物付設物の断面略Ｃ字状の構成部材と略同じ長さ寸法を有する水平方向長手状のものであり、
前記パネル用下地体を前記建物付設物の断面略Ｃ字状の構成部材に固着する際には、前記固定具を前記取付板部から一旦外した後、前記パネル用下地体を前記建物付設物の断面略Ｃ字状の構成部材の下側板部上に載置した状態にしてから、前記固定具を用いて前記取付板部に対して前記パネル用下地体の垂直板部を前記建物付設物の断面略Ｃ字状の構成部材の垂直板部とともに固着する
ことを特徴とする請求項１記載のカバーパネル装置。
【請求項３】
パネル用下地体は、互いに連結された軒天下地材と軒天下地受け材とにて構成されている
ことを特徴とする請求項１または２記載のカバーパネル装置。
【発明の詳細な説明】
【技術分野】
【０００１】
本発明は、容易に取付作業ができるカバーパネル装置に関するものである。
【背景技術】
【０００２】
従来から、例えば建物本体から水平方向に突出して設置されるバルコニーユニット等の建物付設物の床部下面を軒天井材等のカバーパネル体で覆い隠して意匠性を高める場合がある（例えば、特許文献１参照）。そして、このような場合、例えば建物付設物の一部を構成する桁材等の枠部材に対してカバーパネル体をねじ止め或いは溶接等により直接固着している。
【先行技術文献】
【特許文献】
【０００３】
【特許文献１】特開２００３−３１３９３８号公報
【発明の概要】
【発明が解決しようとする課題】
【０００４】
しかしながら、上記従来のように、建物付設物の構成部材である枠部材に対してカバーパネル体をねじ止め或いは溶接等により直接固着するのでは、例えば位置合わせ等に手間がかかり、取付作業が煩雑となるおそれがある。
【０００５】
本発明は、このような点に鑑みなされたもので、容易に取付作業ができるカバーパネル装置を提供することを目的とする。
【課題を解決するための手段】
【０００６】
請求項１記載のカバーパネル装置は、建物付設物の構成部材に係合により取り付けられるパネル支持体と、建物付設物の断面略Ｃ字状の構成部材に固着されるパネル用下地体と、前記パネル支持体にて支持されるとともに前記パネル用下地体に固着され、前記建物付設物の床部下面を覆い隠すカバーパネル体とを備え、前記建物付設物の断面略Ｃ字状の構成部材は、下側板部と上側板部とこれら両板部同士を連結した垂直板部とにて構成され、前記パネル用下地体は、前記建物付設物の断面略Ｃ字状の構成部材の内側に配設され、前記垂直板部の内面に固着される垂直板部と、前記カバーパネル体が固着される水平板部とを有するものである。
【０００７】
請求項２記載のカバーパネル装置は、請求項１記載のカバーパネル装置において、建物付設物の断面略Ｃ字状の構成部材は、長手方向一端部が建物側の取付板部に固定具にて固着されかつ長手方向他端部が反建物側の取付板部に固定具にて固着された水平方向長手状のものであり、パネル用下地体は、前記建物付設物の断面略Ｃ字状の構成部材と略同じ長さ寸法を有する水平方向長手状のものであり、前記パネル用下地体を前記建物付設物の断面略Ｃ字状の構成部材に固着する際には、前記固定具を前記取付板部から一旦外した後、前記パネル用下地体を前記建物付設物の断面略Ｃ字状の構成部材の下側板部上に載置した状態にしてから、前記固定具を用いて前記取付板部に対して前記パネル用下地体の垂直板部を前記建物付設物の断面略Ｃ字状の構成部材の垂直板部とともに固着するものである。
【０００８】
請求項３記載のカバーパネル装置は、請求項１または２記載のカバーパネル装置において、パネル用下地体は、互いに連結された軒天下地材と軒天下地受け材とにて構成されているものである。
【発明の効果】
【０００９】
本発明によれば、建物付設物の構成部材に対してカバーパネル体をねじ止め或いは溶接等により直接固着する場合に比べて、カバーパネル体の位置合わせ等が簡単で、容易に取付作業ができる。
【図面の簡単な説明】
【００１０】
【図１】本発明の一実施の形態に係るカバーパネル装置が取り付けられた建物付設物の斜視図である。
【図２】同上建物付設物の一部省略した部分平面図である。
【図３】図２におけるIII−III断面図である。
【図４】図２におけるIV−IV断面図である。
【図５】同上カバーパネル装置のパネル支持体の断面図である。
【図６】同上カバーパネル装置のパネル支持体の斜視図である。
【図７】同上カバーパネル装置のパネル用下地体の断面図である。
【図８】同上カバーパネル装置の取付方法を説明するための図である。
【図９】同上カバーパネル装置の取付方法を説明するための図である。
【図１０】同上カバーパネル装置の取付方法を説明するための図である。
【図１１】同上カバーパネル装置の取付方法を説明するための図である。
【図１２】同上カバーパネル装置の取付方法を説明するための図である。
【発明を実施するための形態】
【００１１】
本発明のカバーパネル装置の一実施の形態を図面を参照して説明する。
【００１２】
図１ないし図４において、１は建物付設物で、この建物付設物１は例えば集合住宅等の建物２の外部に設置された屋外鉄骨階段廊下ユニットである。
【００１３】
そして、建物付設物１は図示しない階段部分の上端に連設された廊下部分３を具備し、この廊下部分３は略水平面状の床部４とこの床部４の周縁部に立設された手摺部５とを備えている。
【００１４】
廊下部分３の床部４は、互いに離間対向した水平方向長手状で断面略コ字状の桁材（建物付設物の枠部材である第１枠部材）７および水平方向長手状で断面略コ字状の打付材８を有している。そして、互いに離間対向した桁材７および打付材８には水平方向長手状で断面略Ｃ字状の構成部材としての根太材（建物付設物の枠部材である第２枠部材）９が間隔をおいて複数架設され、これら複数の根太材９上には床材10が載置されている。また、互いに離間対向した桁材７および打付材８の端部同士は水平方向長手状で断面略コ字状の梁材（建物付設物の枠部材である第１枠部材）11にて連結され、これら建物付設物１の一部を構成する構成部材である桁材７、打付材８および２本の梁材11，11にて略矩形環状の四方枠部12が構成されている。
【００１５】
そして、建物付設物１の廊下部分３の床部４にはカバーパネル装置15が例えば後付けにより取り付けられ、このカバーパネル装置15のカバーパネル体16にてその床部４の下面が覆い隠されている。
【００１６】
カバーパネル装置15は、桁材７および両梁材11の各々の端部にこの端部との係合により工具レスで取り付けられたパネル支持体21を備えている。
【００１７】
各パネル支持体21は、図５および図６等に示されるように、断面略コ字状の第１枠部材である枠部材７，11の端部（つまり下側の水平板部の先端部）が挿入されることによりこの端部とやや弾性変形した状態で係合してこの端部を弾性復元力に基づいて上下から挟持する略コ字状の係合部22を有している。また、パネル支持体21は、カバーパネル体16の端部を水平方向に対して位置決めした状態でこのカバーパネル体16の端部を下方から支持する支持部23を有している。
【００１８】
ここで、パネル支持体21は、例えば水平方向長手状の軒天枠25と、この軒天枠25の少なくとも長手方向両端部にリベット27により固着された軒天枠取付金具26とにて構成されている。
【００１９】
軒天枠25は、細長い略矩形板状の第１水平板部31を有し、この第１水平板部31の短手方向端部から垂直板部32が上方に向って突出し、この垂直板部32の上端部から第１水平板部31より短手方向の長さ寸法が長くリベット用孔33が形成された第２水平板部34が第１水平板部31と対向する側に向って突出している。
【００２０】
軒天枠取付金具26は、リベット用孔35が形成された略矩形板状の水平板部36を有し、水平板部36の短手方向一端部から位置決め突部37が下方に向って突出し、水平板部36の短手方向他端部から垂直板部38が上方に向って突出し、この垂直板部38の上端部から傾斜板部39が斜め下方に向って突出し、この傾斜板部39の先端部にはこの先端部から斜め上方に向って突出した略湾曲状の案内部40が設けられている。
【００２１】
そして、両リベット用孔33，35が一致するように軒天枠25の第２水平板部34上に軒天枠取付金具26の水平板部36が載置されかつ軒天枠25の第２水平板部34の端部に軒天枠取付金具26の位置決め突部37が当接して位置決めされた状態で、両リベット用孔33，35に挿通されたリベット27によって軒天枠取付金具26が軒天枠25に対して固着されている。
【００２２】
このように軒天枠取付金具26が軒天枠25に固着されたパネル支持体21の断面略コ字状の係合部22は、軒天枠取付金具26の傾斜板部39と軒天枠取付金具26の垂直板部38と軒天枠25の第２水平板部34における傾斜板部39と対向する部分とにて構成されている。そして、この係合部22の内側に枠部材７，11の端部が挿入されると、傾斜板部39がその端部にて上方に押されて基端側を中心として上方回動するように弾性変形してその端部上面に沿った略水平姿勢となり、その結果、係合部22が弾性復元力に基づいて枠部材７，11の端部を上下から挟持した状態となる。なお、枠部材７，11の端部が挿入される前においては、傾斜板部39の先端および第２水平板部34の上面間の離間距離は、枠部材７，11の端部の厚さ寸法より小さくなっている。
【００２３】
また、断面略Ｌ字状の支持部23は、軒天枠25の第１水平板部31と軒天枠25の垂直板部32とにて構成されている。そして、この支持部23の内側にカバーパネル体16の端部が差し込まれると、カバーパネル体16の端部は、垂直板部32にて水平方向に対して位置決めされかつ第１水平板部31にて下方から支持される。
【００２４】
また、カバーパネル装置15は、根太材９に固定具であるボルト42およびナット43にて固着されたパネル用下地体（軒天下地）41を備えている。
【００２５】
各パネル用下地体41は、図７および図１０等に示されるように、長手方向一端部が建物側の打付材８の取付板部44にボルト42およびナット43にて固着され長手方向他端部が反建物側の桁材７の取付板部44にボルト42およびナット43にて固着された第２枠部材である枠部材（根太材）９と略同じ長さ寸法を有する水平方向長手状のもので、例えばリベット45にて互いに連結された軒天下地材46と軒天下地受け材47とにて構成されている。なお、断面略Ｃ字状の根太材９は、下側板部9aと上側板部9bとこれら板部同士を連結した垂直板部9cとにて構成されている。
【００２６】
そして、パネル用下地体41は、根太材９の内側に配設されこの根太材９の垂直板部9cの内面にボルト42およびナット43にて固着された第１垂直板部51を有している。この第１垂直板部51の下端部近傍から第１水平板部52が根太材９の垂直板部9cから離れる側に向って突出し、この第１水平板部52の先端部から第２垂直板部53が下方に向って突出し、この第２垂直板部53の下端部から第２水平板部54が根太材９の下側板部9aの下方側に向って突出している。また、この第２水平板部54の先端部から第３垂直板部55が下方に向って突出し、この第３垂直板部55の下端部から第３水平板部56が根太材９の垂直板部9cの下方側に向って突出し、この第３水平板部56にカバーパネル体16が固定具であるドリルねじ60にて固着されている。
【００２７】
なお、パネル支持体21の支持部23にて支持されるとともにパネル用下地体41の第３水平板部56に固着され建物付設物１の床部４の下面を覆い隠す床下化粧材であるカバーパネル体16は、図１１および図１２に示されるように、パネル用下地体41の第３水平板部56に固着される複数の溝状の被固着部61が形成された複数枚の軒天材62にて構成されている。
【００２８】
次に、上記カバーパネル装置15の施工現場での取付方法について説明する。
【００２９】
まず、図８（ａ）、（ｂ）および図９に示すように、予め工場でリベット結合されたパネル支持体21を桁材７および梁材11の各々の下側の水平板部の先端部に係合部22の係合により工具レスで取り付ける。
【００３０】
すなわち、パネル支持体21の水平板部の先端部側への水平移動によってこの水平板部の先端部を係合部22の内側に挿入させることにより水平板部の先端部と係合部22とを互いに係合させ、水平板部の先端部を係合部22にその弾性復元力に基づいて保持させる。
【００３１】
次いで、図１０に示すように、予め工場でリベット結合されたパネル用下地体41を根太材９の垂直板部9cの内面にボルト42およびナット43にて固着する。
【００３２】
すなわち、所定箇所のボルト42およびナット43を取付板部44から一旦外した後、パネル用下地体41を根太材９の下側板部9a上に載置した状態にしてから、ボルト42およびナット43を用いて取付板部44に対してパネル用下地体41の第１垂直板部51を根太材９の垂直板部9cとともに固着する。つまり、ボルト42およびナット43にてパネル用下地体41を根太材９にこの根太材９に沿って固着する。
【００３３】
その後、図１１に示すように、カバーパネル体16を構成する軒天材62をパネル支持体21に支持させた状態でパネル支持体21側から順番にパネル用下地体41にドリルねじ60にて固着する。
【００３４】
すなわち、図１２に示すように、一の軒天材62の端部をパネル支持体21の支持部23上に載置して位置決めしてから、一の軒天材62の被固着部61をパネル用下地体41の第３水平板部56にドリルねじ60にて固着する。続いて、他の軒天材62の端部を先に固着した一の軒天材62の支持部23側とは反対側の端部上に載置して位置決めしてから、他の軒天材62の被固着部61をパネル用下地体41の第３水平板部56にドリルねじ60にて固着する。こうして、パネル支持体21の支持部23にて支持されかつパネル用下地体41に固着されたカバーパネル体16によって建物付設物１の床部４の下面全体が覆い隠される。
【００３５】
そして、上記カバーパネル装置15によれば、建物付設物１の枠部材に対してカバーパネル体16をねじ止め或いは溶接により直接固着する場合等に比べて、カバーパネル体16の位置合わせ等が簡単で、施工現場での取付作業が容易であり、例えば一人作業でカバーパネル体16を簡単に取り付けることができる。
【００３６】
また、カバーパネル体16をねじ止めする場合には建物付設物１の枠部材にねじ用孔が形成されるため、そのねじ用孔が錆び発生の原因になっていたが、カバーパネル装置15では桁材７等にねじ用孔を形成する必要がなく、防錆性に優れている。
【００３７】
なお、建物付設物１は、屋外鉄骨階段廊下ユニットには限定されず、例えばバルコニー、庇等でもよい。
【００３８】
さらに、パネル支持体21は、桁材７等の枠部材の端部と係合してこの端部を弾性復元力に基づいて挟持する係合部22を有する構成には限定されず、例えば桁材７等の枠部材の端部に嵌合により取り付けられるような構成等でもよい。
【００３９】
また、カバーパネル体16、パネル支持体21およびパネル用下地体41はアルミニウム製には限定されず、他の金属或いは樹脂等からなるもの等でもよい。
【符号の説明】
【００４０】
１    建物付設物
４    床部
７    構成部材である桁材
９    断面略Ｃ字状の構成部材である根太材
9a    下側板部
9b    上側板部
9c    垂直板部
11    構成部材である梁材
15    カバーパネル装置
16    カバーパネル体
21    パネル支持体
41    パネル用下地体
44    取付板部
46    軒天下地材
47    軒天下地受け材
51    垂直板部である第１垂直板部
56    水平板部である第３水平板部
【図１】
2010156200.tif 000003
【図２】
2010156200.tif 000004
【図３】
2010156200.tif 000005
【図４】
2010156200.tif 000006
【図５】
2010156200.tif 000007
【図６】
2010156200.tif 000008
【図７】
2010156200.tif 000009
【図８】
2010156200.tif 000010
【図９】
2010156200.tif 000011
【図１０】
2010156200.tif 000012
【図１１】
2010156200.tif 000013
【図１２】
2010156200.tif 000014